(57)【特許請求の範囲】
【請求項１】
シリンジのシリンダ部材にスライド自在に挿入されるピストン部材の先端に位置するピストンヘッドにおいて、
硬質なベース部材と、柔軟なシール部材と、前記ベース部材より柔軟で前記シール部材より硬質なダイヤフラム部材と、を有しており、
前記シール部材が前記ダイヤフラム部材の外周面上でシリンダ部材に密着し、
前記ベース部材と前記シール部材との間に位置している前記ダイヤフラム部材が後方に押圧されると外周方向に拡開するピストンヘッドであって、
前記ピストン部材の先端に位置して前面の少なくとも外側に前方に集束する円錐面が形成されているベース部材と、
このベース部材より柔軟で前記円錐面に当接する円錐面が後面の少なくとも外側に形成されている前記ダイヤフラム部材と、
このダイヤフラム部材より柔軟で少なくとも前記ダイヤフラム部材の外周面上に位置して前記シリンダ部材に密着する前記シール部材と、
を有しているピストンヘッド。
【請求項２】
シリンジのシリンダ部材にスライド自在に挿入されるピストン部材の先端に位置するピストンヘッドにおいて、
硬質なベース部材と、柔軟なシール部材と、前記ベース部材より柔軟で前記シール部材より硬質なダイヤフラム部材と、を有しており、
前記シール部材が前記ダイヤフラム部材の外周面上でシリンダ部材に密着し、
前記ベース部材と前記シール部材との間に位置している前記ダイヤフラム部材が後方に押圧されると外周方向に拡開するピストンヘッドであって、
前記ピストン部材の先端に位置するベース部材と、
このベース部材より柔軟で前面の少なくとも外側に後方に集束する円錐面が形成されている前記ダイヤフラム部材と、
このダイヤフラム部材より硬質で前記円錐面に当接する円錐面が後面の少なくとも外側に形成されているプッシャ部材と、
前記ダイヤフラム部材より柔軟で少なくとも前記ダイヤフラム部材の外周面上に位置して前記シリンダ部材に密着する前記シール部材と、
を有しているピストンヘッド。
【請求項３】
シリンジのシリンダ部材にスライド自在に挿入されるピストン部材の先端に位置するピストンヘッドにおいて、
硬質なベース部材と、柔軟なシール部材と、前記ベース部材より柔軟で前記シール部材より硬質なダイヤフラム部材と、を有しており、
前記シール部材が前記ダイヤフラム部材の外周面上でシリンダ部材に密着し、
前記ベース部材と前記シール部材との間に位置している前記ダイヤフラム部材が後方に押圧されると外周方向に拡開するピストンヘッドであって、
前記ピストン部材の先端に位置して前面の少なくとも外側に前方に集束する円錐面が形成されているベース部材と、
このベース部材より柔軟で前記円錐面に当接する円錐面が後面の少なくとも外側に形成されているとともに前面の少なくとも外側に後方に集束する円錐面が形成されている前記ダイヤフラム部材と、
このダイヤフラム部材より硬質で前記ダイヤフラム部材の前面の前記円錐面に当接する円錐面が後面の少なくとも外側に形成されているプッシャ部材と、
前記ダイヤフラム部材より柔軟で少なくとも前記ダイヤフラム部材の外周面上に位置して前記シリンダ部材に密着する前記シール部材と、
を有しているピストンヘッド。
【請求項４】
前記プッシャ部材と前記シール部材とが一体に形成されている請求項２または３に記載のピストンヘッド。
【請求項５】
前記ダイヤフラム部材に、複数の切り欠きが放射方向に形成されている請求項１ないし４の何れか一項に記載のピストンヘッド。
【請求項６】
薬液が充填されるシリンダ部材と、このシリンダ部材にスライド自在に挿入されるピストン部材と、このピストン部材の先端に位置して前記シリンダ部材に密着するピストンヘッドと、を有しているシリンジであって、
請求項１ないし５の何れか一項に記載のピストンヘッドを有しているシリンジ。
【請求項７】
前記ベース部材と前記ピストン部材とが一体に形成されている請求項６に記載のシリンジ。
【発明の詳細な説明】
【０００１】
【発明の属する技術分野】
本発明は、シリンダ部材に挿入されるピストン部材の先端に装着されるピストンヘッドに関し、特に、シリンジに利用されるピストンヘッドに関する。
【０００２】
【従来の技術】
現在、医療現場でＣＴ（Ｃｏｍｐｕｔｅｄ  Ｔｏｍｏｇｒａｐｈｙ）スキャナやＭＲＩ（Ｍａｇｎｅｔｉｃ  Ｒｅｓｏｎａｎｃｅ  Ｉｍａｇｉｎｇ）装置により被験者の断層画像を撮像するとき、その被験者にシリンジから造影剤や生理食塩水などの薬液を注入することがある。一般的なシリンジ１０は、図１２に示すように、ピストン部材１１の先端にピストンヘッド１２が装着されており、これがシリンダ部材１３の円筒形の孔部１４にスライド自在に挿入されている。
【０００３】
ピストン部材１１とシリンダ部材１３とは、機械強度を確保できる硬質な樹脂などで形成されており、ピストンヘッド１２は、シリンダ部材１３の孔部１４をスライド自在な状態で密閉するために柔軟なシリコンゴムなどで形成されている。そこで、薬液が充填されたシリンダ部材１３の孔部１４をピストンヘッド１２で密閉した状態からピストン部材１１を押圧すると、ピストンヘッド１２の移動により加圧される薬液がシリンダ部材１３の先端の小孔１５から吐出される。
【０００４】
【発明が解決しようとする課題】
上述のようなシリンジ１０では、ピストンヘッド１２はシリンダ部材１３の孔部１４をピストンヘッド１２で密閉しながらスライドする必要があるので、その密閉性が不足しがちで薬液が漏出することがある。特に、前述のようにＣＴスキャナなどを使用する医療現場では、シリンジ１０から被験者に薬液として造影剤を注入するが、その造影剤は一般的な薬液より高粘度である。
【０００５】
このため、手動でピストン部材１１を押圧することが困難であり、シリンジ１０のピストン部材１１を機械的に押圧する薬液注入装置も利用されている。しかし、この薬液注入装置はピストン部材１１を手動の場合より強力に押圧するため、さらに薬液が漏出しやすい。
【０００６】
本発明は上述のような課題に鑑みてなされたものであり、シリンジの薬液の漏出を良好に防止することができるピストンヘッドを提供することを目的とする。
【０００７】
【課題を解決するための手段】
本発明のピストンヘッドは、従来のようなムク材で形成されておらず、少なくともベース部材とダイヤフラム部材とシール部材からなる。硬質なベース部材がピストン部材の先端に位置し、柔軟なシール部材がダイヤフラム部材の外周面上でシリンダ部材に密着する。ダイヤフラム部材はベース部材より柔軟でシール部材より硬質であり、ベース部材とシール部材との間に位置する。ダイヤフラム部材は後方に押圧されると外周方向に拡開するので、シリンダ部材の内圧が上昇するとシール部材がシリンダ部材に密着する圧力も向上する。
【０００８】
なお、本発明ではシリンダ部材にピストン部材が挿入される方向を前方と想定し、前後方向を言及しているが、これは方向の相対関係を簡単に説明するために便宜的に規定したものであり、本発明を実施する場合の製造時および使用時の方向を限定するものではない。
【０００９】
また、本発明を製品として実施する場合、本発明で云う各種の構成要素は、必ずしも個々に独立した部品である必要はない。例えば、複数の構成要素が１個の部品として形成されていること、ある構成要素が他の構成要素の一部であること、ある構成要素の一部と他の構成要素の一部とが重複していること、等も可能である。
【００１０】
【発明の実施の形態】
［第１の形態の構成］
本発明の実施の第１の形態を図１ないし図４を参照して以下に説明する。ただし、本形態に関して前述した一従来例と同一の部分は、同一の名称および符号を使用して詳細な説明は省略する。
【００１１】
本形態のピストンヘッド２０も従来のピストンヘッド１２と同様に、図３に示すように、シリンジ４０の一部からなり、ピストン部材１１の先端に位置してシリンダ部材１３の孔部１４を密閉する。しかし、本形態のピストンヘッド２０は従来のピストンヘッド１２とは異なり、図１および図２に示すように、ベース部材２１、ダイヤフラム部材２２、シール部材２３、からなる。
【００１２】
ベース部材２１は、硬質な樹脂で形成されており、ピストン部材１１の先端に固定されている。ダイヤフラム部材２２は、ベース部材２１より柔軟な樹脂で形成されており、ベース部材２１の前面に固定されることなく配置されている。シール部材２３は、ダイヤフラム部材２２より柔軟なシリコンゴムで形成されており、ダイヤフラム部材２２の前面上から外周面上まで位置してベース部材２１の外周面上に装着されている。
【００１３】
より詳細には、ベース部材２１の前面の外側には、前方に集束する円錐面２５が形成されており、この円錐面２５に当接する円錐面２６が、ダイヤフラム部材２２の後面の外側に形成されている。ダイヤフラム部材２２の前面には前方に集束する円錐面２７が形成されており、この円錐面２７に密着する円錐面２８が、シール部材２３の後面に形成されている。
【００１４】
このシール部材２３は、後縁部２９が内側に曲折された形状に形成されており、この後縁部２９が係合する凹部３０がベース部材２１の外周面に形成されている。このため、シール部材２３は、その後面に密着するダイヤフラム部材２２をベース部材２１の前面に密着させる状態で、このベース部材２１に装着されている。このように装着されたシール部材２３の外周部分は、ダイヤフラム部材２２およびベース部材２１の外周面上に位置するので、図３に示すように、シリンダ部材１３の孔部１４の内周面に密着する。
【００１５】
［第１の形態の動作］
上述のような構成において、本形態のシリンジ４０でも、ピストン部材１１の先端に位置するピストンヘッド２０がシリンダ部材１３の孔部１４に密着しているので、ピストン部材１１を押圧することでシリンダ部材１３に充填されている薬液を吐出させることができる。
【００１６】
このとき、本形態のピストンヘッド２０は、図４に示すように、シリンダ部材１３の内圧が上昇してシール部材２３とともにダイヤフラム部材２２の前面が後方に押圧されると、このダイヤフラム部材２２がベース部材２１の円錐面２５上を後方にスライドする。
【００１７】
すると、ダイヤフラム部材２２がシール部材２３とともに外周方向に拡開するので、シール部材２３がシリンダ部材１３の孔部１４に密着する圧力が上昇する。つまり、本形態のシリンジ４０では、シリンダ部材１３の内圧が上昇するとピストンヘッド２０が外周方向に拡開するので、ピストン部材１１を高圧に押圧しても薬液が漏出しにくい。
【００１８】
［第２の形態の構成］
つぎに、本発明の実施の第２の形態を図５および図６を参照して以下に説明する。なお、この実施の第２の形態に関して上述した第１の形態と同一の部分は、同一の名称および符号を使用して詳細な説明は省略する。本形態のピストンヘッド５０は、同図に示すように、ベース部材５１、ダイヤフラム部材５２、プッシャ部材５３、シール部材５４、からなる。
【００１９】
本形態のピストンヘッド５０では、プッシャ部材５３は、ダイヤフラム部材５２より硬質な樹脂で形成されており、ダイヤフラム部材５２の前面に固定されることなく配置されている。シール部材５４は、ダイヤフラム部材５２より柔軟なシリコンゴムで形成されており、プッシャ部材５３の前面上からダイヤフラム部材５２の外周面上を介してベース部材５１の外周面上まで装着されている。
【００２０】
より詳細には、ベース部材５１の前面は平面５６に形成されており、この平面５６に当接する平面５７がダイヤフラム部材５２の後面に形成されている。このダイヤフラム部材５２の前面の外側には後方に集束する円錐面５８が形成されており、この円錐面５８に当接する円錐面５９が、プッシャ部材５３の後面の外側に形成されている。
【００２１】
［第２の形態の動作］
上述のような構成において、本形態のピストンヘッド５０は、シール部材５４とともにプッシャ部材５３の前面が後方に押圧されると、このプッシャ部材５３の円錐面５９でダイヤフラム部材５２の円錐面５８が後方に押圧される。すると、このダイヤフラム部材５２がシール部材５４とともに外周方向に拡開するので、シール部材５４がシリンダ部材１３の孔部１４に密着する圧力が上昇する。つまり、本形態のシリンジ４０も、シリンダ部材１３の内圧が上昇するとピストンヘッド５０が外周方向に拡開するので、ピストン部材１１を高圧に押圧しても薬液が漏出しにくい。
【００２２】
［実施の形態の変形例］
本発明は上記形態に限定されるものではなく、その要旨を逸脱しない範囲で各種の変形を許容する。例えば、実施の第２の形態のピストンヘッド５０では、ベース部材５１の前面とダイヤフラム部材５２の後面とが平面５６，５７に形成されており、後方に集束する円錐面５８，５９がダイヤフラム部材５２の前面とプッシャ部材５３の後面とに形成されていることを例示した。
【００２３】
しかし、図７に例示するピストンヘッド６０のように、前方に集束する円錐面６１，６２がベース部材６３の前面とダイヤフラム部材６４の後面とに形成されており、ダイヤフラム部材６４の前面とプッシャ部材６５の後面とが平面６６，６７に形成されていることも可能である。
【００２４】
さらに、図８に例示するピストンヘッド７０のように、前方に集束する円錐面６１，６２がベース部材６３の前面とダイヤフラム部材７１の後面とに形成されており、後方に集束する円錐面５８，５９がダイヤフラム部材７１の前面とプッシャ部材５３の後面とに形成されていることも可能である。
【００２５】
また、前述のピストンヘッド２０，５０等では、各種の部品が別個に形成されていることを例示したが、本発明のピストンヘッドは、前面が後方に押圧されることで外周方向に拡開する構造であれば、複数の部品の一部が一体化されていることも可能である。
【００２６】
例えば、図９に例示するピストンヘッド８０のように、上述したピストンヘッド６０のプッシャ部材６５とシール部材５４とを一体に形成してシール部材８１とすることも可能である。また、全部のピストンヘッド２０，５０，６０，７０，８０において、そのベース部材２１等はシリンジ４０のピストン部材１１と一体に形成することが可能である。
【００２７】
さらに、前述のピストンヘッド２０，５０等では、薬液の漏出を確実に防止するためにシール部材２３等が前面の全域に位置する構造を例示したが、例えば、図１０に例示するピストンヘッド９０のように、シール部材９１がダイヤフラム部材２２の外周面上にのみ位置することも可能である。
【００２８】
また、前述のピストンヘッド２０では、ダイヤフラム部材２２が略円錐形に形成されていることを例示したが、例えば、図１１に示すように、ダイヤフラム部材１００に複数の切り欠き１０１を放射方向に形成することで、その外周方向への拡開を容易とすることも可能である。
【００２９】
【発明の効果】
本発明のピストンヘッドは、前面が後方に押圧されると外周方向に拡開することにより、シリンジのピストン部材の先端に位置する状態で、シリンダ部材の内圧が上昇するとシール部材がシリンダ部材に密着する圧力も向上するので、薬液の漏出を良好に防止することができる。
【図面の簡単な説明】
【図１】本発明の実施の第１の形態のピストンヘッドの組立構造を示す半断面図である。
【図２】ピストンヘッドの組立構造を示す分解斜視図である。
【図３】シリンジを示す半断面図である。
【図４】ダイヤフラム部材の作用を示す模式図である。
【図５】本発明の実施の第２の形態のピストンヘッドの組立構造を示す半断面図である。
【図６】ピストンヘッドの組立構造を示す分解斜視図である。
【図７】第１の変形例のピストンヘッドの組立構造を示す断面図である。
【図８】第２の変形例のピストンヘッドの組立構造を示す断面図である。
【図９】第３の変形例のピストンヘッドの組立構造を示す断面図である。
【図１０】第４の変形例のピストンヘッドの組立構造を示す断面図である。
【図１１】第５の変形例のダイヤフラム部材の外観を示す正面図である。
【図１２】一従来例のシリンジを示す半断面図である。
【符号の説明】
１１    ピストン部材
１３    シリンダ部材
１４    孔部
２０，５０，６０，７０，８０，９０    ピストンヘッド
２１，５１，６３    ベース部材
２２，５２，６４，７１，１００    ダイヤフラム部材
２３，５４，８１，９１    シール部材
２５，２６，５８，５９，６１，６２    円錐面
１０１    切り欠き
【図１】
0003623942.tif 000002
【図２】
0003623942.tif 000003
【図３】
0003623942.tif 000004
【図４】
0003623942.tif 000005
【図５】
0003623942.tif 000006
【図６】
0003623942.tif 000007
【図７】
0003623942.tif 000008
【図８】
0003623942.tif 000009
【図９】
0003623942.tif 000010
【図１０】
0003623942.tif 000011
【図１１】
0003623942.tif 000012
【図１２】
0003623942.tif 000013